(57)【特許請求の範囲】
【請求項１】
屋上や屋根等のデッキプレートに固着するためのデッキ固定用ワッシャであって、
積層するワッシャ間に間隙を設ける突起部を中心部のワッシャ固定用孔のまわりに
３個以上配設するとともに、この突起部を非軸対称状位置に配設したことを特徴とするデッキ固定用ワッシャ。
【請求項２】
ワッシャの表面を押圧して突起部を裏面側に突設するとともに、この突起部のワッシャの表面側の凹部に別のワッシャの突起部が入ってワッシャ間の間隙がなくならないように突起部を非軸対称状位置に配設した請求項１に記載のデッキ固定用ワッシャ。
【請求項３】
突起部を３個所以上の軸対称状位置から少しずらした非軸対称状位置に１．０〜３．０ｍｍの高さに突き出して配設した請求項１または２に記載のデッキ固定用ワッシャ。
【発明の詳細な説明】
【０００１】
【発明の技術分野】
本発明は、建築分野におけるプレハブの屋上や屋根等のデッキ固定用ワッシャに関するものである。
【０００２】
【従来の技術】
最近、プレハブの屋上や屋根に凹凸状のデッキプレートを張り付け、その上面に断熱材を被覆して、その表面に合成樹脂シートを貼り付けることが実施され、重量軽減と省力化がはかれている。
【０００３】
そして、その断熱材や合成樹脂シートを下部のデッキプレートに固着するのに、やや大きな形状のワッシャを介してセルフドリリングねじのスクリュウねじでデッキプレートに螺着している。
【０００４】
このデッキプレートを介して螺着するのに、デッキプレートを多数積層したデッキプレートマガジンから一枚ずつワッシャをワッシャ取着具のスクリュウビットの下方部に供給し、ワッシャの中心のワッシャ固定孔にスクリュウねじを挿入して下方のデッキプレートに螺着している。
【０００５】
【発明が解決しようとする課題】
しかし、上記デッキ固定用のワッシャを積層すると、これらのワッシャがワッシャ間にほとんど間隙を生じることなく重なり合い、積み重ねたワッシャを送り爪で自動ワッシャ取着具のスクリュウビット部に送給するのが難しく、ワッシャの送給ミスが生じるものであった。
【０００６】
そのため、折角の省力化がはかれるワッシャ取着具でありながら、その性能を十分に発揮することができず、改善することが要望されていた。
【０００７】
【課題を解決するための手段】
本発明は、上記のような点に鑑みたもので、上記の課題を解決するために、屋上や屋根等のデッキプレートに固着するためのデッキ固定用ワッシャであって、積層するワッシャ間に間隙を設ける突起部を中心部のワッシャ固定用孔のまわりに３個以上配設するとともに、この突起部を非軸対称状位置に配設したことを特徴とするデッキ固定用ワッシャを提供するものである。
【０００８】
【発明の実施の形態】
本発明のデッキ固定用ワッシャは、屋上や屋根等のデッキプレートに固着するためのデッキ固定用ワッシャであって、積層するワッシャ間に間隙を設ける突起部を中心部のワッシャ固定用孔のまわりに３個以上配設するとともに、この突起部を非軸対称状位置に配設したことを特徴とするものである。
【０００９】
デッキ固定用ワッシャ１は、図１、図２のように７０〜１００ｍｍ径位の金属やプラスチックの円板状や角板状で、その中心にワッシャ固定用孔２を開孔し、そのまわりに補強用の円状の凹設部３、４や周縁に固定用の突縁５を設けている。
【００１０】
そして、このようなデッキ固定用ワッシャ１を図３、図４のように積層してワッシャ取着具６に一枚一枚供給するのに、デッキ固定用ワッシャ１が密接せずにワッシャ１間に間隙が生じるようにワッシャ固定用孔２のまわりにほぼ均一状にデッキ固定用ワッシャ１の表面側を、プレス等で押圧して裏面側に突き出る突起部７を３個以上配設している。
【００１１】
上記突起部７は、たとえば図１、図２のようにワッシャ固定用孔２のまわりに半径Ｒの１２０度角度間隙等の軸対称位置から全体をｘだけ少しずらした非軸対称状位置や、軸対称位置のピッチサークル径Ｒをそれぞれ少し変えて配置するのが、積層するデッキ固定用ワッシャ１の表面側の凹部８と裏面側の突起部７が全数ぴったりと一致しない限り全部嵌合しないので、デッキ固定用ワッシャ１間に図３のように所定の間隙を確実に生じることができて好ましい。
【００１２】
上記突起部７の突出量としては、１．０〜３．０ｍｍ位が積層したデッキ固定用ワッシャ１を送り爪９で確実にスクリュウビット１０の下方部に送り込めて好ましい。１．０ｍｍより少ないと送り爪９に引っ掛けにくく、３．０ｍｍより大きいとデッキ固定用ワッシャ１を積層したときに嵩高となって好ましくない。
【００１３】
突起部７としては、円形状や半球状のものが製造しやすくて好ましいが、角状や切欠状等とすることもでき、またワッシャ固定用孔のまわりに３個以上、好ましくは３個設けてデッキ固定用ワッシャ１を重ね合わせたときに３点支持にできてデッキ固定用ワッシャ１のまわりに均一に間隙を生じるようにできて好ましいものであるが、上記した本発明の趣旨にもとづいて突起部の形状、数量を適宜選択することができる。
【００１４】
【実施例】
図１〜図４は、本発明の一実施例を示すもので、直径が８５ｍｍの鋼材のデッキ固定用ワッシャ１の中心のワッシャ固定用孔２のまわりに、３５ｍｍのピッチサークルの軸対称位置から突起部７の径の半分の１．５ｍｍずつ全体をずらした非軸対称位置に３個所プレスして突設したものである。
【００１５】
そして、上記３ｍｍ径の突起部７を裏面側に１．５ｍｍ突き出したデッキ固定用ワッシャ１を図３のように積み重ねて図４のようにワッシャマガジン１１に装着し、送り爪９でスクリュウビット１０の下方部へ送給した結果、確実に一枚ずつデッキ固定用ワッシャ１を送給できた。１２はデッキプレート、１３は発泡ウレタン等の断熱材である。
【００１６】
特に、突起部を非軸対称状位置に突設した結果、積層したデッキ固定用ワッシャ間にいずれも均一状に間隙が生じ、実用できるものであった。
【００１７】
なお、上記突起部の数を増加したり、内外二重状に配設したり、理論的にも裏面側の突起部が表面側の凹部に嵌合するのを完全に回避するようにもできる。
【００１８】
以上では、円板状のデッキ固定用ワッシャについて説明したが、四角状、その他の形状のものについても同様に適用でき、また屋上や屋根、壁面、その他のデッキプレート取付部に適用でき、さらに屋上や屋根、壁面、その他の軽量コンクリート、コンクリートの下地にも転用することも可能なものである。
【００１９】
【発明の効果】
以上のように本発明にあっては、屋上や屋根等のデッキプレートに固着するためのデッキ固定用ワッシャを積層するにあたって、突起部をワッシャの中心部のワッシャ固定用孔のまわりに３個以上配設するとともに、この突起部を非軸対称状位置に配設したので、この突起部を介して積層する前後のデッキ固定用ワッシャが互いに密接せずに、ワッシャ間に均一状に間隙を設けられる。そのため、ワッシャ取着具のワッシャマガジンに積層して装着すれば、確実に一枚ずつデッキ固定用ワッシャをワッシャ固定具のスクリュウビット部に送給することができ、屋上や屋根等のデッキプレートに固着していくことができる。
【００２０】
特に、ワッシャの表面を押圧して突起部を裏面側に突設するとともに、この突起部のワッシャの表面側の凹部に別のワッシャの突起部が入ってワッシャ間の間隔がなくならないように突起部を非軸対称状位置に配設することによって、デッキ固定用ワッシャにプレス等で突起部を押し出して突設しても、裏面側の突起部が表面側の凹部に嵌合するのをほぼ確実に回避できて、積層するデッキ固定用ワッシャ間を均一状に間隙を設けられ、送り爪を介して確実に一枚ずつデッキ固定用ワッシャをワッシャ固定具のスクリュウビット部に送給することができる。
【００２１】
また、突起部を３個所以上の軸対称状位置から少しずらした非軸対称状に１．０〜３．０ｍｍの高さに突き出して配設することによって、上記のようにして積層する前後のデッキ固定用ワッシャが互いに密接せずに、突起部でデッキ固定用ワッシャを均一状に積層できるとともに、デッキ固定用ワッシャを余り嵩高とならずに積層することができる。
【図面の簡単な説明】
【図１】本発明の一実施例の説明用平面図、
【図２】同上の側断面図、
【図３】同上のデッキ固定用ワッシャを積層した状態を示す側断面、
【図４】同上のワッシャ取着具に装着した使用状態の説明用断面図。
【符号の説明】
１…デッキ固定用ワッシャ  ２…ワッシャ固定用孔    ３…ワッシャ取着具
７…突起部                ８…凹部                ９…送り爪
１０…スクリュウビット    １２…デッキプレート    １３…断熱材
【図１】
0004255155.tif 000002
【図２】
0004255155.tif 000003
【図３】
0004255155.tif 000004
【図４】
0004255155.tif 000005